(57)【要約】      （修正有）【課題】スタンバイ電源回路を制御する電源制御装置であって、特殊な構造を有するスイッチ等を用いることなく電源制御を行う。【解決手段】スタンバイ電源回路と主電源回路を制御する電源制御装置であって、オン操作される間にスタンバイ電源回路に商用電源を供給する電源スイッチ２と、スタンバイ電源回路５で生成されるスタンバイ電源電圧Ｖccによって動作する制御部６と、オン状態でスタンバイ電源回路５に商用電源を供給し、オフ状態でスタンバイ電源回路５への前記商用電源の供給を遮断する第１の継電部３と、第１の継電部３をオンまたはオフ状態にする解除部４と、主電源回路８に商用電源を供給、または、遮断する第２の継電部７とを備え、解除部４は、電源スイッチ２がオン操作され、スタンバイ電源電圧Ｖccを受けて、第１の継電部３をオン状態にし、第１の継電部３がオン状態のときに、制御部６よりのオフ制御で、第１の継電部３をオフ状態にする。【選択図】図２
2008252343.tif 000002
【特許請求の範囲】
【請求項１】
スタンバイ電源回路と主電源回路を制御する電源制御装置であって、
オン操作される間に前記スタンバイ電源回路に商用電源を供給する電源スイッチと、
前記スタンバイ電源回路で生成されるスタンバイ電源電圧によって動作する制御手段と、
オン状態で前記スタンバイ電源回路に前記商用電源を供給し、オフ状態で前記スタンバイ電源回路への前記商用電源の供給を遮断する第１の継電手段と、
前記制御手段により制御され、前記第１の継電手段をオン状態またはオフ状態に設定する解除手段と、
前記制御手段により制御され、前記主電源回路に前記商用電源を供給、または、前記主電源回路への前記商用電源の供給を遮断する第２の継電手段とを備え、
前記解除手段は、前記電源スイッチがオン操作され、前記スタンバイ電源回路で生成されるスタンバイ電源電圧を受けて、前記第１の継電手段を継続してオン状態に設定し、前記第１の継電手段がオン状態となっているときに、前記制御手段よりのオフ制御を受けて、前記第１の継電手段をオフ状態に設定すること、
を特徴とする電源制御装置。
【請求項２】
前記第２の継電手段は、前記電源スイッチがオン操作され、前記スタンバイ電源回路で生成されるスタンバイ電源電圧によって動作する制御手段よりのオン制御を受けて、前記主電源回路への前記商用電源の供給を継続すること、
を特徴とする請求項１に記載の電源制御装置。
【請求項３】
前記第２の継電手段は、前記主電源回路への前記商用電源の供給を継続している際、前記制御手段よりのオフ制御を受けて、前記主電源回路への前記商用電源の供給を遮断すること、
を特徴とする請求項２に記載の電源制御装置。
【請求項４】
前記第１，第２の継電手段は、電磁リレーまたはトライアックで形成されていること、
と特徴とする請求項１に記載の電源制御装置。
【請求項５】
前記制御手段は、ユーザー等の指示に従って前記解除手段と第２の継電手段を制御すること、
を特徴とする１〜４の何れか１項に記載の電源制御装置。
【請求項６】
前記制御手段は、ユーザー等から前記主電源回路を遮断するための指示がなされると、前記第２の継電手段が遮断され前記主電源回路から主電源電圧が出力されなくなり、この状態から、前記解除手段を制御して前記第１の継電手段をオフ状態に設定させること、
を特徴とする請求項１に記載の電源制御装置。
【請求項７】
前記制御手段は、計時手段を備え、ユーザー等から前記主電源回路を遮断するための指示がなされると、前記第２の継電手段が遮断され前記主電源回路から主電源電圧が出力されなくなり、この状態から、前記解除手段を制御して前記第１の継電手段をオフ状態に設定させること、
を特徴とする請求項１に記載の電源制御装置。
【請求項８】
前記計時手段は、前記所定時期間を計時し終える前に、前記ユーザー等から再び第２の継電手段を通電せしめる指示が成されると、前記所定時期間の計時を中止すること、
を特徴とする請求項７に記載の電源制御装置。
【発明の詳細な説明】
【技術分野】
【０００１】
本発明は、例えばテレビジョン受信機やオーディオ機器等の電子機器に設けられている電源回路を制御する電源制御装置に関する。
【背景技術】
【０００２】
一般に、テレビジョン受信機やオーディオ機器等の電子機器においては、電子機器を動作させるための主電源回路（メイン電源回路）と、主電源回路が遮断されても電子機器を待機状態（スタンバイ状態）に維持するスタンバイ電源回路が設けられている。
【０００３】
従来、スタンバイ電源回路を備えた電子機器として、特許文献１（特開２０００−５９７１０号公報）に記載されたテレビジョン受信機が知られている。
このテレビジョン受信機では、図１に示すように、商用交流電源供給ライン（図示省略）に接続される電源プラグとスタンバイ電源回路部との間に「電磁オフ機能付き電源スイッチ」と呼ばれるスイッチが設けられ、「電磁オフ機能付き電源スイッチ」とメイン電源回路部との間に「電源リレー」が設けられている。
【０００４】
かかる構成のテレビジョン受信機において、ユーザーが「電磁オフ機能付き電源スイッチ」をオン操作すると、その電源スイッチがオフからオン状態に切り替わって導通状態のままとなり、電源プラグからの商用交流電源をスタンバイ電源回路部に供給し続ける。これにより、スタンバイ電源回路部からスタンバイ電源電圧が制御回路部に供給され、リモコン間でのリモコン通信が可能な状態（リモコン待機状態）となる。
【０００５】
また、リモコン待機状態で、ユーザーがリモコン操作によって電源オンの指示をすると、制御回路部がその指示を受けて「電源リレー」を導通状態に設定し、メイン電源回路部を起動させる。これにより、メイン電源回路部の出力電圧（メイン電源電圧）がテレビジョン受信回路部に供給され、テレビジョン放送を視聴することが可能となる。
【０００６】
また、ユーザーがテレビジョン放送の視聴を止めてテレビジョン受信状態からリモコン待機状態に移行したいと欲した場合、所定のリモコン操作を行うと、制御回路部が「電源リレー」をオフ状態（非導通状態）に切り替えることでメイン電源回路部への商用交流電源供給を遮断させ、テレビジョン受信回路部２を停止させる。つまり、メイン電源回路部は遮断されるが、導通状態を保持している「電磁オフ機能付き電源スイッチ」を介してスタンバイ電源回路部に商用交流電源が供給され続けるため、リモコン待機状態が維持されるようになっている。
【０００７】
また、リモコン待機状態で、ユーザーが全ての電源を切ってしまいたいと欲した場合、所定のリモコン操作を行うと、制御回路部が、導通状態となっている「電磁オフ機能付き電源スイッチ」をオフ状態（非導通状態）に切り替えることで、スタンバイ電源回路部への商用交流電源供給を停止させ、メイン電源回路部だけでなくスタンバイ電源回路部も遮断して消費電力を削減する。
【０００８】
【特許文献１】特開２０００−５９７１０号公報
【発明の開示】
【発明が解決しようとする課題】
【０００９】
ところで、上記の特許文献１には、「電磁オフ機能付き電源スイッチ」の構造が明確に（具体的に）記載されておらず機能のみの記載となっているが、ユーザーが手操作によってオフからオン状態（導通状態）に切り替えると、「電磁オフ機能付き電源スイッチ」が導通状態を保持する機能を発揮して、電源プラグからの商用交流電源をスタンバイ電源回路部に供給する旨の記載があり、更に、「電磁オフ機能付き電源スイッチ」が導通状態を保持している際に、ユーザーが所定のリモコン操作をすると、制御回路部の制御の下でオフ状態（非導通状態）に切り替わり、スタンバイ電源回路部への商用交流電源供給を遮断する旨の記載がある。
【００１０】
かかる記載から判断すると、「電磁オフ機能付き電源スイッチ」は、ユーザーがオン操作した後、手を離しても導通状態を保持するオルタネートスイッチ（Alternate Switch）と、その導通状態を保持しているオルタネートスイッチを制御回路部の制御の下でオフ状態（非導通状態）に切り替える磁気回路（電磁リレー等）と、を備えた特殊な構造を有する電源スイッチとなっているものと思われる。
【００１１】
ところが、このような特殊な構造を有する「電磁オフ機能付き電源スイッチ」では構造が大型となってしまい、例えばテレビジョン受信機やオーディオ機器等の電子機器に取り付けたり、電子機器の電気回路基板等に取り付けようとすると、専有面積が大きくなってしまうことから、電子機器等の設計の自由度が制限される等の問題を生じる。
【００１２】
また、特殊な構造であることから、ユーザーの操作を保持する保持機能を具備していない例えば小型且つ汎用のモーメンタリースイッチ（Momentary Switch）と汎用リレー等（汎用の電磁リレー等）とを用いることができず、コスト高を招く等の問題を生じる。
【００１３】
本発明は、こうした従来の問題に鑑みて成されたものであり、上述の「電磁オフ機能付き電源スイッチ」のような特殊な構造を有するスイッチを用いることなく、電源回路を制御することが可能な電源制御装置を提供することを目的とする。
【課題を解決するための手段】
【００１４】
請求項１に記載の発明は、スタンバイ電源回路と主電源回路を制御する電源制御装置であって、オン操作される間に前記スタンバイ電源回路に商用電源を供給する電源スイッチと、前記スタンバイ電源回路で生成されるスタンバイ電源電圧によって動作する制御手段と、オン状態で前記スタンバイ電源回路に前記商用電源を供給し、オフ状態で前記スタンバイ電源回路への前記商用電源の供給を遮断する第１の継電手段と、前記制御手段により制御され、前記第１の継電手段をオン状態またはオフ状態に設定する解除手段と、前記制御手段により制御され、前記主電源回路に前記商用電源を供給、または、前記主電源回路への前記商用電源の供給を遮断する第２の継電手段とを備え、前記解除手段は、前記電源スイッチがオン操作され、前記スタンバイ電源回路で生成されるスタンバイ電源電圧を受けて、前記第１の継電手段を継続してオン状態に設定し、前記第１の継電手段がオン状態となっているときに、前記制御手段よりのオフ制御を受けて、前記第１の継電手段をオフ状態に設定すること、を特徴とする。
【発明を実施するための最良の形態】
【００１５】
本発明の好適な実施形態について図２を参照して説明する。図２は、本実施形態における電源制御装置の構成を示すブロック図である。
図２において、商用交流電源供給ラインにコンセント（図示省略）を介して接続される電源プラグ１が設けられ、電源プラグ１とスタンバイ電源回路５の入力端子との間の電源ラインには、手動操作される電源スイッチ２と、後述のスタンバイ電源電圧Ｖccが供給されて動作する第１の継電部３とが並列接続されて設けられている。また、第１の継電部３へのスタンバイ電源電圧Ｖccの供給または遮断するための解除部４が設けられている。また、電源プラグ１と主電源回路８の入力端子との間の電源ラインに、第２の継電部７が接続されている。
【００１６】
電源スイッチ２は、ユーザー等の手操作によってオン操作されている間だけオン状態（導通状態）となって接点ｃ，ｄ間を導通にし、手が離されると自動的にオフ状態（非導通状態）に戻って接点ｃ，ｄ間を非導通（遮断）する常開型のモーメンタリースイッチで形成されており、上述のオン操作されている間に、電源プラグ１からの商用交流電源をスタンバイ電源回路５に供給する。
【００１７】
スタンバイ電源回路５は、上述の電源スイッチ２がオン操作されている間に供給される商用交流電源に基づいてスタンバイ電源電圧Ｖccを発生し、制御部６と第１の継電部３に印加する。また、第１の継電部３が継続して導通状態となり、第１の継電部３を通じて商用交流電源が供給される場合にもスタンバイ電源回路５は、スタンバイ電源電圧Ｖccを継続して発生し、制御部６と第１の継電部３に印加する。
【００１８】
解除部４は、制御部６からの制御信号ＣＮＴＡに従って動作する電磁リレー等のスイッチ素子で形成されており、スタンバイ電源回路５の出力端子（Ｖcc端子）とグランド端子ＧＮＤとの間に、第１の継電部３と共に直列接続されている。
【００１９】
そして、解除部４が導通状態のときには、スタンバイ電源回路５の出力端子（Ｖcc端子）とグランド端子ＧＮＤとの間に第１の継電部３が電気的に接続される。このため、解除部４が導通状態、且つ、スタンバイ電源回路５がスタンバイ電源電圧Ｖccを出力している場合には、そのスタンバイ電源電圧Ｖccの供給を受けて第１の継電部３が導通状態となり、電源プラグ１とスタンバイ電源回路５の入力端子との間の電源ラインを導通させ、電源プラグ１からの商用交流電源をスタンバイ電源回路５に供給する。
【００２０】
一方、解除部４が非導通状態となると、第１の継電部３とスタンバイ電源回路５との電気的接続が遮断される。このため、スタンバイ電源電圧Ｖccが印加されなくなった第１の継電部３は非導通状態となって、電源プラグ１とスタンバイ電源回路５の入力端子との間の電源ラインを遮断させ、スタンバイ電源回路５への商用交流電源の供給を遮断する。
【００２１】
制御部６は、スタンバイ電源電圧Ｖccが印加されると起動し、図示しないリモコン装置等との間で通信し、ユーザー等のリモコン操作内容等に従って、制御信号ＣＮＴＡ，ＣＮＴＢにより解除部４と第２の継電部７を制御する。
【００２２】
第２の継電部７は、上述したユーザー等のリモコン操作内容等に従って制御部６から出力される制御信号ＣＮＴＢに従ってオンまたはオフ動作する電磁リレー等のスイッチ素子で形成されている。そして、制御信号ＣＮＴＢの指示により、第２の継電部７がオン状態（導通状態）となると、電源プラグ１からの商用交流電源を主電源回路８に供給し、主電源電圧を発生させる。一方、制御信号ＣＮＴＢの指示により、第２の継電部７がオフ状態（非導通状態）となると、主電源回路８への商用交流電源の供給を遮断し、主電源電圧の発生を停止（遮断）させる。
【００２３】
主電源回路８は、第２の継電部７からの商用交流電源の供給を受けて、例えば電子機器がテレビジョン受信機の場合にはテレビジョン受信回路等に供給するための主電源電圧を発生する。
【００２４】
次に、かかる構成を有する本実施形態の電源制御装置の動作について説明する。
なお、解除部４は、制御部６からの制御信号ＣＮＴＡに従って導通状態から非導通状態に切り替わる常閉型のスイッチ素子、または、制御部６からの制御信号ＣＮＴＡに従って非導通状態から導通状態に切り替わる常開型のスイッチ素子で形成することが可能である。そのため、解除部４が常閉型のスイッチ素子の場合と、常開型のスイッチ素子の場合とに分けて、本実施形態の電源制御装置の動作について説明することとする。
【００２５】
〈１〉解除部４が常閉型のスイッチ素子の場合
最初に、解除部４が常閉型のスイッチ素子で形成されている場合の動作について説明する。
【００２６】
１．電源投入動作（スタンバイ電源回路５と主電源回路８を起動させるための動作） 
電源スイッチ２と第１，第２の継電部３，７が非導通状態で、スタンバイ電源回路５と主電源回路８が共に遮断状態となっている際（すなわち、スタンバイ電源と主電源が共に遮断状態のとき）、ユーザー等が電源スイッチ２をオン操作すると、そのオン操作によって接点ｃ，ｄが導通となっている間に、商用交流電源が電源プラク１から電源スイッチ２を介してスタンバイ電源回路５に供給され、スタンバイ電源電圧Ｖccが出力される。
【００２７】
このスタンバイ電源電圧Ｖccの供給を受けて制御部６が起動する他、常閉型のスイッチ素子で形成されている解除部４に直列接続されている第１の継電部３にもスタンバイ電源電圧Ｖccが供給される。このため、スタンバイ電源電圧Ｖccの供給を受けて第１の継電部３が導通状態となり、電源プラグ１とスタンバイ電源回路５の入力端子との間を導通させ、スタンバイ電源回路５への商用交流電源の供給を継続する。
【００２８】
そして、ユーザー等が電源スイッチ２をオフ操作する（手を離す）と、電源スイッチ２が自動的に非導通状態に戻り、電源スイッチ２を介してのスタンバイ電源回路５への商用交流電源の供給が遮断されることとなるが、導通状態を維持している第１の継電部３を介して、スタンバイ電源回路５への商用交流電源の供給が継続されるため、スタンバイ電源回路５から継続的にスタンバイ電源電圧Ｖccが出力され、制御部６は動作を継続し、第１の継電部３は導通状態を維持したままとなる。
【００２９】
更に、上述したように制御部６が起動すると、制御信号ＣＮＴＢによって第２の継電部７を継続的にオン制御して、第２の継電部７を継続的に導通状態に設定することで、主電源回路８への商用交流電源の供給を継続させ、主電源回路８から継続的に主電源電圧を出力させる。
【００３０】
以上に説明したように、ユーザー等が電源スイッチ２をオン操作すると、そのオン操作されている間に、電源スイッチ２を介して供給される商用交流電源によってスタンバイ電源回路５がスタンバイ電源電圧Ｖccを出力し、そのスタンバイ電源電圧Ｖccの供給を受けて制御部６が制御信号ＣＮＴＢによって第２の継電部７を継続的に導通状態に設定することで主電源回路８から主電源電圧を出力させ、更に、そのスタンバイ電源電圧Ｖccの供給を受けて第１の継電部３が導通状態となり、スタンバイ電源回路５への商用交流電源の供給を継続する。したがって、ユーザー等が電源スイッチ２から手を離しても、一旦導通状態となった第１の継電部３を介して、スタンバイ電源回路５への商用交流電源の供給が継続され、スタンバイ電源回路５から継続的にスタンバイ電源電圧Ｖccが出力されることとなる。そして、ユーザー等が電源スイッチ２から手を離した後も、スタンバイ電源電圧Ｖccが供給される制御部６が、制御信号ＣＮＴＢによって第２の継電部７を継続的に導通状態に維持するので、主電源回路８から主電源電圧を継続的に出力させ、例えば本実施形態の電源制御装置がテレビジョン受信機に設けられている場合には、テレビジョン放送の視聴が可能となる。
【００３１】
２．主電源を遮断する動作 
ユーザー等が例えばテレビジョン放送の視聴を止めて主電源をオフに切り替えたいと欲した場合、リモコン装置等（図示省略）を用いて主電源回路８を遮断するための所定の操作をすると、制御部６が受信して、制御信号ＣＮＴＢによって第２の継電部７をオフ制御することで非導通状態に切り替え、主電源回路８への商用交流電源の供給を遮断させる。そして、商用交流電源の供給が遮断された主電源回路８から主電源電圧が出力されなくなり、主電源が遮断されることとなる。
【００３２】
ただし、主電源回路８が遮断されてもスタンバイ電源回路５は遮断されないため、スタンバイ電源電圧Ｖccの供給を受けて制御部６が動作を継続し、リモコン装置等の間での通信を引き続き可能にする。
【００３３】
３．主電源を再度起動させる動作
上述したように、主電源回路８が遮断されてもスタンバイ電源回路５が動作している際に、ユーザー等が再び主電源をオンさせたいと欲した場合、リモコン装置等（図示省略）を用いて主電源回路８を再起動させるための所定の操作をすると、制御部６が受信して、制御信号ＣＮＴＢによって第２の継電部７をオン制御することで導通状態に切り替え、主電源回路８への商用交流電源の供給を再開させる。そして、商用交流電源の供給が再開された主電源回路８から主電源電圧が出力され、例えば本実施形態の電源制御装置がテレビジョン受信機に設けられている場合には、テレビジョン放送の視聴が可能となる。
【００３４】
４．スタンバイ電源を遮断する動作 
主電源回路８が遮断され、スタンバイ電源回路５が継続して動作している際に、ユーザー等がスタンバイ電源をオフにしたいと欲した場合、所定のリモコン操作等をすると、制御部６が受信し、制御信号ＣＮＴＡによって解除部４をオフ制御する。これにより、常閉型のスイッチ素子で形成されている解除部４は非導通状態に切り替わり、第１の継電部３へのスタンバイ電源電圧Ｖccの供給を遮断する。そして、スタンバイ電源電圧Ｖccの供給が遮断された第１の継電部３は非導通状態となり、電源プラグ１からスタンバイ電源回路５への商用交流電源の供給を遮断し、スタンバイ電源回路５からスタンバイ電源電圧Ｖccが出力されなくなる。
【００３５】
そして、上述の電源スイッチ２は既にオフ状態（非導通状態）となっているため、第１の継電部３が非導通状態となると、スタンバイ電源回路５には商用交流電源が全く供給されなくなり、スタンバイ電源が遮断されることとなる。その結果、主電源回路８も含めて全ての電源が遮断されることとなり、消費電力の削減等が図られる。
【００３６】
〈２〉解除部４が常開型のスイッチ素子の場合
次に、解除部４が常開型のスイッチ素子で形成されている場合の動作について説明する。
【００３７】
１．電源投入動作（スタンバイ電源回路５と主電源回路８を起動させるための動作） 
電源スイッチ２と第１，第２の継電部３，７が非導通状態で、スタンバイ電源回路５と主電源回路８が共に遮断状態となっている際（すなわち、スタンバイ電源と主電源が共に遮断状態のとき）、ユーザー等が電源スイッチ２をオン操作すると、そのオン操作によって接点ｃ，ｄが導通となっている間に、商用交流電源が電源プラク１から電源スイッチ２を介してスタンバイ電源回路５に供給され、スタンバイ電源電圧Ｖccが出力される。
【００３８】
このスタンバイ電源電圧Ｖccの供給を受けて制御部６が起動し、制御信号ＣＮＴＡによって、常開型のスイッチ素子で形成されている解除部４を継続的にオン制御し、継続して導通状態に設定する。これにより、解除部４に直列接続されている第１の継電部３にもスタンバイ電源電圧Ｖccが供給されるようになり、第１の継電部３が導通状態となって電源プラグ１とスタンバイ電源回路５の入力端子との間を導通させ、スタンバイ電源回路５への商用交流電源の供給を継続する。
【００３９】
そして、ユーザー等が電源スイッチ２をオフ操作する（手を離す）と、電源スイッチ２が自動的に非導通状態に戻り、電源スイッチ２を介してのスタンバイ電源回路５への商用交流電源の供給が遮断されることとなるが、導通状態を維持している第１の継電部３を介して、スタンバイ電源回路５への商用交流電源の供給が継続されるため、スタンバイ電源回路５から継続的にスタンバイ電源電圧Ｖccが出力され、制御部６は動作を継続し、解除部４と第１の継電部３は導通状態を維持したままとなる。
【００４０】
更に、上述したように制御部６が起動すると、制御信号ＣＮＴＢによって第２の継電部７を継続的にオン制御して、第２の継電部７を継続的に導通状態に設定することで、主電源回路８への商用交流電源の供給を継続させ、主電源回路８から継続的に主電源電圧を出力させる。
【００４１】
以上に説明したように、ユーザー等が電源スイッチ２をオン操作すると、そのオン操作されている間に、電源スイッチ２を介して供給される商用交流電源によってスタンバイ電源回路５がスタンバイ電源電圧Ｖccを出力し、そのスタンバイ電源電圧Ｖccの供給を受けて制御部６が制御信号ＣＮＴＢによって第２の継電部７を継続的に導通状態に設定することで主電源回路８から主電源電圧を出力させ、更に、制御信号ＣＮＴＡによって解除部４を導通状態に維持させることで第１の継電部３も導通状態に維持させ、スタンバイ電源回路５への商用交流電源の供給を継続させる。したがって、ユーザー等が電源スイッチ２から手を離しても、一旦導通状態となった第１の継電部３を介して、スタンバイ電源回路５への商用交流電源の供給が継続され、スタンバイ電源回路５から継続的にスタンバイ電源電圧Ｖccが出力されることとなる。そして、ユーザー等が電源スイッチ２から手を離した後も、スタンバイ電源電圧Ｖccが供給される制御部６が、制御信号ＣＮＴＢによって第２の継電部７を継続的に導通状態に維持するので、主電源回路８から主電源電圧を継続的に出力させ、例えば本実施形態の電源制御装置がテレビジョン受信機に設けられている場合には、テレビジョン放送の視聴が可能となる。
【００４２】
２．主電源を遮断する動作 
ユーザー等が例えばテレビジョン放送の視聴を止めて主電源をオフに切り替えたいと欲した場合、リモコン装置等（図示省略）を用いて主電源回路８を遮断するための所定の操作をすると、制御部６が受信して、制御信号ＣＮＴＢによって第２の継電部７をオフ制御することで非導通状態に切り替え、主電源回路８への商用交流電源の供給を遮断させる。そして、商用交流電源の供給が遮断された主電源回路８から主電源電圧が出力されなくなり、主電源が遮断されることとなる。
【００４３】
ただし、主電源回路８が遮断されてもスタンバイ電源回路５は遮断されないため、スタンバイ電源電圧Ｖccの供給を受けて制御部６が動作を継続し、リモコン装置等の間での通信を引き続き可能にする。
【００４４】
３．主電源を再度起動させる動作
主電源回路８が遮断されてもスタンバイ電源回路５が動作している際に、ユーザー等が再び主電源をオンさせたいと欲した場合、リモコン装置等（図示省略）を用いて主電源回路８を再起動させるための所定の操作をすると、制御部６が受信して、制御信号ＣＮＴＢによって第２の継電部７をオン制御することで導通状態に切り替え、主電源回路８への商用交流電源の供給を再開させる。そして、商用交流電源の供給が再開された主電源回路８から主電源電圧が出力され、例えば本実施形態の電源制御装置がテレビジョン受信機に設けられている場合には、テレビジョン放送の視聴が可能となる。
【００４５】
４．スタンバイ電源を遮断する動作 
上述したように主電源回路８が遮断され、スタンバイ電源回路５が継続して動作している際に、ユーザー等がスタンバイ電源をオフにしたいと欲した場合、所定のリモコン操作等をすると、制御部６が受信し、制御信号ＣＮＴＡの解除部４への供給を停止する。これにより、常開型のスイッチ素子で形成されている解除部４は自ら非導通状態に切り替わり、第１の継電部３へのスタンバイ電源電圧Ｖccの供給を遮断する。そして、スタンバイ電源電圧Ｖccの供給が遮断された第１の継電部３は非導通状態となり、電源プラグ１からスタンバイ電源回路５への商用交流電源の供給を遮断し、スタンバイ電源回路５からスタンバイ電源電圧Ｖccが出力されなくなる。
【００４６】
そして、上述の電源スイッチ２は既にオフ状態（非導通状態）となっているため、第１の継電部３が非導通状態となると、スタンバイ電源回路５には商用交流電源が全く供給されなくなり、スタンバイ電源が遮断されることとなる。その結果、スタンバイ電源の供給が途絶えた制御部６から、第２の継電部７への制御信号ＣＮＴＢの供給も途絶え、主電源回路８も含めて全ての電源が遮断されることとなり、消費電力の削減等が図られる。
【００４７】
以上に説明したように、本実施形態の電源制御装置によれば、電源スイッチ２は、ユーザー等がオン／オフ操作した状態を保持するための保持機能を有するオルタネートスイッチで形成する必要がなく、ユーザー等がオン操作している間だけオン状態となり手が離されるとオフ状態に戻る基本的なスイッチ構造を有するモーメンタリースイッチ等で形成することができる。この結果、複雑な構造を有さず小型の汎用モーメンタリースイッチ等を用いて、設計の自由度を向上させることが可能であり、更にコストの低減を図ることができる。
【００４８】
更に、第１の継電部３と解除部４も、導通／非導通状態を保持するための特殊な構造を有する電磁リレー等を用いる必要がなく、基本的なリレー構造を有する電磁リレー等で形成することができる。つまり、第１の継電部３はスタンバイ電源電圧Ｖccの供給を受けて導通状態となり、スタンバイ電源電圧Ｖccが供給されなくなると非導通状態となる基本的なリレー構造を有する電磁リレー等で形成することができ、解除部４についても、制御部６の制御に従って、導通または非導通状態となる基本的なリレー構造を有する電磁リレー等で形成することができる。
【００４９】
この結果、複雑な構造を有さず小型の汎用電磁リレー等のスイッチ素子を用いて、設計の自由度を向上させることが可能であり、更にコストの低減を図ることができる。
【実施例１】
【００５０】
次に、図３に基づいて、より具体的な電源制御装置の実施例について説明する。なお、図３は、本実施例の電源制御装置の構成を表したブロック図であり、図２と同一または相当する部分が同一符号で示されている。
【００５１】
図３において、本実施例の電源制御装置においても、図２と同様に、電源スイッチ２と第１の継電部３と、解除部４、スタンバイ電源回路５、制御部６、第２の継電部７、主電源回路８を備える他、制御部６には、制御部６とリモコン装置９との間で無線通信を行うための通信部１０が設けられている。
【００５２】
そして、本実施例の電源制御装置が例えばテレビジョン受信機に設けられる場合には、リモコン装置９と同様の機能を有する操作パネル１２も制御部６に接続され、更に主電源回路８から出力される主電源電圧がテレビジョン受信回路部１１に印加され、テレビジョン受信回路部１１で受信されたテレビジョン放送をディスプレイ１３とスピーカ１４によって視聴できるようになっている。
【００５３】
ここで、電源スイッチ２は、ユーザー等がオン操作すると同時にオン状態となり、手を離すと同時にオフ状態に戻る２連のモーメンタリースイッチＳＷ１，ＳＷ２で形成されており、一方のスイッチＳＷ１は制御部６とスタンバイ電源回路５のＶcc端子との間に接点ａ，ｂを介して接続され、他方のスイッチＳＷ２は電源プラグ１とスタンバイ電源回路５の入力端子との間に接点ｃ，ｄを介して接続されている。
【００５４】
第１の継電部３は、励磁コイルＬ３と、その励磁コイルＬ３に生じる磁力によって接点ｅ，ｆ間を導通にする接点スイッチＳＷ３を有する基本的なリレー構造となっている小型且つ汎用の電磁リレー（常開型の電磁リレー）が用いられている。そして、接点ｅ，ｆが電源プラグ１とスタンバイ電源回路５の入力端子との間に接続されることで、第１の継電部３は、電源スイッチ２のスイッチＳＷ２に対して並列接続された関係となっている。更に、励磁コイルＬ３の一端がスタンバイ電源回路５のＶcc端子に接続され、励磁コイルＬ３の他端が、解除部４に設けられている後述の接点スイッチＳＷ４を介してグラント端子ＧＮＤに接続されている。
【００５５】
解除部４は、励磁コイルＬ４と、その励磁コイルＬ４に生じる磁力によって接点ｇ，ｈ間を非導通にする接点スイッチＳＷ４を有する基本的なリレー構造となっている小型且つ汎用の電磁リレー（常閉型の電磁リレー）が用いられている。そして、接点ｇ，ｈが第１の継電部３の励磁コイルＬ３とグランド端子ＧＮＤ間に接続され、励磁コイルＬ４が制御部６のオンオフ制御部６ｄとグランド端子ＧＮＤ間に接続され、オンオフ制御部６ｄからの制御信号ＣＮＴＡによって制御される。
【００５６】
第２の継電部７は、励磁コイルＬ７と、その励磁コイルＬ７に生じる磁力によって接点ｉ，ｊ間を導通にする接点スイッチＳＷ７を有する基本的なリレー構造となっている小型且つ汎用の電磁リレー（常開型の電磁リレー）が用いられている。そして、接点ｉ，ｊが電源プラグ１と主電源回路８の入力端子との間に接続され、励磁コイルＬ４が制御部６のオンオフ制御部６ｄとグランド端子ＧＮＤ間に接続され、オンオフ制御部６ｄからの制御信号ＣＮＴＢによって制御される。
【００５７】
制御部６は、所定のプログラムに従って動作するマイクロプロセッサ（ＭＰＵ）やディジタルシグナルプロセッサ（ＤＳＰ）を備えて構成されており、上述のプログラムを実行することで、スイッチ検出部６ａ、リモコン処理部６ｂ、キー入力処理部６ｃ及びオンオフ制御部６ｄ等としての機能を発揮する。
【００５８】
スイッチ検出部６ａは、スイッチＳＷ１がオン操作されたか否かの検出を行う。リモコン処理部６ｂは、通信部１０を介してリモコン装置９との間で通信し、リモコン操作された指示内容に従った処理を行う。キー入力処理部６ｃは、ユーザー等が操作パネル１２を操作して指示した内容に従った処理を行う。
【００５９】
オンオフ制御部６ｄは、制御信号ＣＮＴＡを解除部４の励磁コイルＬ４に供給することで、接点スイッチＳＷ４をオフさせて接点ｇ，ｈ間を非導通状態にする。また、制御信号ＣＮＴＢを第２の継電部７の励磁コイルＬ７に供給することで、接点スイッチＳＷ７をオンさせて接点ｉ，ｊ間を導通状態にする。
なお、オンオフ制御部６ｄの詳細な機能については、次の動作説明において更に説明することとする。
【００６０】
次に、かかる構成を有する電源制御装置の動作について説明する。なお、電源投入動作と、主電源を遮断する動作と、主電源を再起動させる動作と、スタンバイ電源を遮断する動作について説明する。
【００６１】
１．電源投入動作（スタンバイ電源回路５と主電源回路８を起動させるための動作）
電源スイッチ２と第１，第２の継電部３，７が非導通状態で、スタンバイ電源回路５と主電源回路８が共に遮断状態となっている際（すなわち、スタンバイ電源と主電源が共に遮断状態のとき）、ユーザー等が電源スイッチ２をオン操作すると、そのオン操作によってスイッチＳＷ１，ＳＷ２が共にオンとなり、接点ａ，ｂ間が導通状態、接点ｃ，ｄ間が導通状態となる。これにより、導通状態となった接点ｃ，ｄ間を通じて、電源プラク１からの商用交流電源がスタンバイ電源回路５に供給され、スタンバイ電源電圧Ｖccが出力される。このスタンバイ電源電圧Ｖccの供給を受けて制御部６が起動し、更に、スイッチ検出部６ａが、上述したように既にオンとなっているスイッチＳＷ１を介して供給されるスタンバイ電源電圧Ｖccを検出することで、スイッチＳＷ１がオン操作されたことを検出し、リモコン処理部６ｂとキー入力処理部６ｃと通信部１０及びオンオフ制御部６ｄに動作を開始させる。
【００６２】
なお、本実施例１では、制御部６がスタンバイ電源電圧Ｖccの供給を受けて起動し、更にスイッチＳＷ１がオン操作されたことを検出した後、本来の動作を開始することで、動作シーケンスの更なる信頼性向上を図ることとしている。しかし、制御部６がスタンバイ電源電圧Ｖccの供給を受けて起動し、制御部６自らがスタンバイ電源電圧Ｖccの供給を受けていることを判断して本来の動作を開始するようにしてもよい。かかる構成とすれば、スイッチＳＷ１を省略することが可能となり、より回路構成の簡素を図ることが可能である。
【００６３】
引き続き、電源スイッチ２がオン操作されている間に、上述したようにスタンバイ電源回路５からスタンバイ電源電圧Ｖccが出力される結果、そのスタンバイ電源電圧Ｖccが第１の継電部３の励磁コイルＬ３と常閉型の電磁リレーで形成されている解除部４の接点スイッチＳＷ４にも供給され、励磁コイルＬ３に生じる磁力によって第１の継電部３の接点スイッチＳＷ３がオンとなり、接点ｅ，ｆ間が導通状態となる。このため、スタンバイ電源電圧Ｖccの供給を受けて第１の継電部３が導通状態になると、電源プラグ１とスタンバイ電源回路５の入力端子との間を継続して導通させ、ユーザー等が電源スイッチ２から手を離してオフ操作し、電源スイッチ２のスイッチＳＷ１，ＳＷ２が自動的に非導通状態に戻っても、スタンバイ電源回路５への商用交流電源の供給を継続する。そして、スタンバイ電源回路５から継続的にスタンバイ電源電圧Ｖccが出力されるため、制御部６は動作を継続し、第１の継電部３は導通状態を維持したままとなる。
【００６４】
更に、上述したように制御部６が起動し、スイッチＳＷ１がオン操作されたことをスイッチ検出部６ａが検出すると、その検出結果に基づいてオンオフ制御部６ｄが制御信号ＣＮＴＢを継続的に第２の継電部７の励磁コイルＬ７に供給し、接点スイッチＳＷ７をオンさせることで、接点ｉ，ｊ間を継続的に導通状態にさせる。これにより、電源プラグ１からの商用交流電源が第２の継電部７を介して主電源回路８に継続的に供給され、主電源回路８から継続的に主電源電圧を出力させ、テレビジョン受信回路部１１を動作させ、テレビジョン放送の視聴を可能にする。
【００６５】
以上に説明したように、ユーザー等が電源スイッチ２をオン操作すると、そのオン操作されている間に、電源スイッチ２を介して供給される商用交流電源によってスタンバイ電源回路５がスタンバイ電源電圧Ｖccを出力し、そのスタンバイ電源電圧Ｖccの供給を受けて制御部６が制御信号ＣＮＴＢによって第２の継電部７を継続的に導通状態に設定することで主電源回路８から主電源電圧を出力させ、更に、そのスタンバイ電源電圧Ｖccの供給を受けて第１の継電部３が導通状態となり、スタンバイ電源回路５への商用交流電源の供給を継続する。したがって、ユーザー等が電源スイッチ２から手を離しても、一旦導通状態となった第１の継電部３を介して、スタンバイ電源回路５への商用交流電源の供給が継続され、スタンバイ電源回路５から継続的にスタンバイ電源電圧Ｖccが出力されることとなる。そして、ユーザー等が電源スイッチ２から手を離した後も、スタンバイ電源電圧Ｖccが供給される制御部６が、制御信号ＣＮＴＢによって第２の継電部７を継続的に導通状態に維持するので、主電源回路８から主電源電圧を継続的に出力させ、テレビジョン放送の視聴が可能となる。
【００６６】
２．主電源を遮断する動作
ユーザー等が例えばテレビジョン放送の視聴を止めて主電源をオフに切り替えたいと欲した場合、リモコン装置９を用いて主電源回路８を遮断するための所定のリモコン操作をすると、リモコン処理部６ｂが受信部１０を介して受信する。また、ユーザー等が操作部１２を操作した場合には、キー入力処理部６ｃがユーザー等の指示内容を入力する。そして、リモコン処理部６ｂまたはキー入力処理部６ｃが入力したユーザー等の指示内容に従ってオンオフ制御部６ｄが、第２の継電部７への制御信号ＣＮＴＢの供給を停止する。これにより、常開型の電磁リレーで形成されている第２の継電部７の接点スイッチＳＷ７がオフとなり、接点ｉ，ｊ間が非導通状態となり、主電源回路８への商用交流電源の供給を遮断させる。そして、商用交流電源の供給が遮断された主電源回路８から主電源電圧が出力されなくなり、主電源が遮断されることとなる。
【００６７】
ただし、主電源回路８が遮断されてもスタンバイ電源回路５は遮断されないため、スタンバイ電源電圧Ｖccの供給を受けて制御部６が動作を継続し、リモコン装置９間での通信と、操作部１２からの入力を引き続き可能にする。
【００６８】
なお、次の構成により、主電源を遮断するようにしてもよい。つまり、スタンバイ電源電圧Ｖccの供給を受けて制御部６が動作中に、電源スイッチ２がオン操作されると、スイッチＳＷ１がオン状態となったことを制御部６が検出し、上述の主電源をオフにするためのリモコン操作がなされた場合と同様の処理を行って、主電源を遮断するようにしてもよい。
【００６９】
３．主電源を再度起動させる動作
主電源回路８が遮断されてもスタンバイ電源回路５が動作している際に、ユーザー等が再び主電源をオンさせたいと欲した場合、リモコン装置等（図示省略）を用いて主電源回路８を再起動させるための所定の操作をすると、制御部６が受信して、制御信号ＣＮＴＢを常開型の電磁リレーで形成されている第２の継電部７に供給することで導通状態に切り替え、主電源回路８への商用交流電源の供給を再開させる。そして、商用交流電源の供給が再開された主電源回路８から主電源電圧が出力され、例えば本実施形態の電源制御装置がテレビジョン受信機に設けられている場合には、テレビジョン放送の視聴が可能となる。
【００７０】
４．スタンバイ電源を遮断する動作 
上述したように主電源回路８が遮断され、スタンバイ電源回路５が継続して動作している際に、ユーザー等がスタンバイ電源をオフにしたいと欲した場合、リモコン装置９または操作部１２を用いて、スタンバイ電源をオフにするための所定の操作をすると、リモコン処理部６ｂまたはキー入力処理部６ｃが入力したユーザー等の指示内容に従ってオンオフ制御部６ｄが、制御信号ＣＮＴＡを常閉型の電磁リレーで形成されている解除部４の電磁コイルＬ４に供給する。これにより、解除部４の接点スイッチＳＷ４がオフ状態となって、接点ｇ，ｈ間が非導通状態となり、第１の継電部３へのスタンバイ電源電圧Ｖccの供給を遮断する。そして、スタンバイ電源電圧Ｖccの供給が遮断された第１の継電部３は非導通状態となり、電源プラグ１からスタンバイ電源回路５への商用交流電源の供給を遮断し、スタンバイ電源回路５からスタンバイ電源電圧Ｖccが出力されなくなる。
【００７１】
そして、上述の電源スイッチ２は既にオフ状態（非導通状態）となっているため、第１の継電部３が非導通状態となると、スタンバイ電源回路５には商用交流電源が全く供給されなくなり、スタンバイ電源が遮断されることとなる。その結果、主電源回路８も含めて全ての電源が遮断されることとなり、消費電力の削減等が図られる。
【００７２】
以上に説明したように、本実施例の電源制御装置によれば、電源スイッチ２は、ユーザー等がオン／オフ操作した状態を保持するための保持機能を有するオルタネートスイッチで形成する必要がなく、ユーザー等がオン操作している間だけオン状態となり手が離されるとオフ状態に戻る基本的なスイッチ構造を有するモーメンタリースイッチ等で形成することができる。この結果、複雑な構造を有さず小型の汎用モーメンタリースイッチ等を用いて、設計の自由度を向上させることが可能であり、更にコストの低減を図ることができる。
【００７３】
更に、第１の継電部３と解除部４も、導通または非導通状態を保持するための特殊な構造を有する電磁リレー等を用いる必要がなく、基本的なリレー構造を有する電磁リレー等で形成することが可能となっている。
【００７４】
つまり、第１の継電部３はスタンバイ電源電圧Ｖccの供給を受けて導通状態となり、スタンバイ電源電圧Ｖccが供給されなくなると非導通状態となる基本的なリレー構造を有する電磁リレーで形成することができ、解除部４についても、制御部６の制御に従って、導通／非導通状態となる基本的なリレー構造を有する電磁リレーで形成することが可能となっている。
【００７５】
この結果、複雑な構造を有さず小型の汎用電磁リレーを用いて、設計の自由度を向上させることが可能であり、更にコストの低減を図ることができる。
【００７６】
なお、次の構成により、スタンバイ電源を遮断するようにしてもよい。つまり、スタンバイ電源電圧Ｖccの供給を受けて制御部６が動作中であって、主電源回路８が遮断している場合に、電源スイッチ２がオン操作されると、スイッチＳＷ１がオン状態となったことを制御部６が検出し、上述のスタンバイ電源をオフにするためのリモコン操作がなされた場合と同様の処理を行って、スタンバイ電源を遮断するようにしてもよい。
【実施例２】
【００７７】
次に、電源制御装置の第２実施例について図４を参照して説明する。なお、図４は、本実施例の電源制御装置の構成を表したブロック図であり、図３と同一または相当する部分が同一符号で示されている。
【００７８】
図３に示した第１実施例の電源制御装置では、第１の継電部３と解除部４と第２の継電部７に電磁リレーが用いられているが、図４に示す本実施例の電源制御装置では、第１の継電部３が、トライアック制御回路３Ｃとトライアック３Ｔで形成され、第２の継電部７がトライアックで形成され、解除部４が常開型の電磁リレーで形成されている。残余の構成については、本実施例の電源制御装置も第１実施例の電源制御装置と同様となっている。
【００７９】
第１の継電部３に用いられているトライアック３Ｔは、その第１，第２アノードが電源スイッチ２のスイッチＳＷ２に対して並列接続され、そのゲートがトライアック制御回路３Ｃのゲート制御信号出力端子に接続されている。そして、トライアック制御回路３Ｃから出力されるゲート制御信号Ｇによってトライアック３Ｔがオン又はオフ制御され、導通状態又は非導通状態となる。
【００８０】
トライアック制御回路３Ｃは、スタンバイ電源回路５のＶcc出力端子に接続され、スタンバイ電源電圧Ｖccの供給を受けて起動し動作する。また、スタンバイ電源電圧Ｖccの供給を受けて動作を開始すると電源プラグ１からの商用交流電源を入力し、商用交流電源の所定の電圧変化点においてゲート制御信号Ｇを出力し、トライアック３Ｔをオンにする。つまり、トライアック制御回路３Ｃは、電圧の変化する商用交流電源の所定の電圧変化点において、ゲート制御信号Ｇを出力し、トライアック３Ｔのゲートを叩いて、トライアック３Ｔをオン状態（導通状態）にする。また、トライアック制御回路３Ｃは、スタンバイ電源電圧Ｖccの供給が遮断されると動作しなくなり、その結果、ゲート制御信号Ｇがトライアック３Ｔに供給されなくなるため、トライアック３Ｔもオフ（非導通状態）となる。
【００８１】
解除部４は、励磁コイルＬ４と、その励磁コイルＬ４に生じる磁力によって接点ｇ，ｈ間を導通にする接点スイッチＳＷ４を有する基本的なリレー構造となっている小型且つ汎用の電磁リレー（常開型の電磁リレー）が用いられている。そして、接点ｇがスタンバイ電源回路５のＶcc出力端子に接続され、接点ｈがグランド端子ＧＮＤに接続され、励磁コイルＬ４が制御部６のオンオフ制御部６ｄとグランド端子ＧＮＤ間に接続され、オンオフ制御部６ｄからの制御信号ＣＮＴＡによって制御されるようになっている。
【００８２】
第２の継電部７に用いられているトライアックは、その第１，第２アノードが電源プラグ１と主電源回路８の入力端子との間に接続され、そのゲートがオンオフ制御部６ｄに接続され、オンオフ制御部６ｄからの制御信号ＣＮＴＢによって制御されるようになっている。
【００８３】
次に、かかる構成を有する電源制御装置の動作について説明する。なお、電源投入動作と、主電源を遮断する動作と、主電源を再起動させる動作と、スタンバイ電源を遮断する動作について説明する。
【００８４】
１．電源投入動作（スタンバイ電源回路５と主電源回路８を起動させるための動作） 
電源スイッチ２と第１，第２の継電部３，７が非導通状態で、スタンバイ電源回路５と主電源回路８が共に遮断状態となっている際（すなわち、スタンバイ電源と主電源が共に遮断状態のとき）、ユーザー等が電源スイッチ２をオン操作すると、そのオン操作によってスイッチＳＷ１，ＳＷ２が共にオンとなり、接点ａ，ｂ間が導通状態、接点ｃ，ｄ間が導通状態となる。これにより、導通状態となった接点ｃ，ｄ間を通じて、電源プラク１からの商用交流電源がスタンバイ電源回路５に供給され、スタンバイ電源電圧Ｖccが出力される。
【００８５】
このスタンバイ電源電圧Ｖccの供給を受けて制御部６が起動し、更に、スイッチ検出部６ａが、既にオンとなっているスイッチＳＷ１を介して供給されるスタンバイ電源電圧Ｖccを検出することで、スイッチＳＷ１がオン操作されたことを検出し、リモコン処理部６ｂとキー入力処理部６ｃと通信部１０及びオンオフ制御部６ｄに動作を開始させる。
【００８６】
更に、電源スイッチ２がオン操作されている間に、上述したようにスタンバイ電源回路５からスタンバイ電源電圧Ｖccが出力される結果、そのスタンバイ電源電圧Ｖccの供給を受けてトライアック制御回路３Ｃが起動して、ゲート制御信号Ｇをトライアック３Ｔのゲートに供給し始め、トライアック３Ｔを導通状態にする。このため、第１の継電部３は電源プラグ１とスタンバイ電源回路５の入力端子との間を継続して導通させ、ユーザー等が電源スイッチ２から手を離してオフ操作し、電源スイッチ２のスイッチＳＷ１，ＳＷ２が自動的に非導通状態に戻っても、スタンバイ電源回路５への商用交流電源の供給を継続する。そして、スタンバイ電源回路５から継続的にスタンバイ電源電圧Ｖccが出力されるため、制御部６は動作を継続し、トライアック３Ｔはトライアック制御回路３Ｃからのゲート制御信号Ｇによって継続的にオン制御され、第１の継電部３は導通状態を維持したままとなる。
【００８７】
更に、上述したように制御部６が起動し、スイッチＳＷ１がオン操作されたことをスイッチ検出部６ａが検出すると、その検出結果に基づいてオンオフ制御部６ｄが制御信号ＣＮＴＢを第２の継電部（トライアック）７のゲートに印加し導通状態に設定する。これにより、電源プラグ１からの商用交流電源が第２の継電部（トライアック）７を介して主電源回路８に継続的に供給され、主電源回路８から継続的に主電源電圧を出力させ、テレビジョン受信回路部１１を動作させ、テレビジョン放送の視聴を可能にする。
【００８８】
以上に説明したように、ユーザー等が電源スイッチ２をオン操作すると、そのオン操作されている間に、電源スイッチ２を介して供給される商用交流電源によってスタンバイ電源回路５がスタンバイ電源電圧Ｖccを出力し、そのスタンバイ電源電圧Ｖccの供給を受けて制御部６が制御信号ＣＮＴＢによって第２の継電部（トライアック）７を導通状態に設定することで主電源回路８から主電源電圧を継続的に出力させ、更に、トライアック制御回路３Ｃの制御によってトライアック３Ｔが導通状態となり、スタンバイ電源回路５への商用交流電源の供給を継続する。したがって、ユーザー等が電源スイッチ２から手を離しても、一旦導通状態となった第１の継電部３を介して、スタンバイ電源回路５への商用交流電源の供給が継続され、スタンバイ電源回路５から継続的にスタンバイ電源電圧Ｖccが出力されることとなる。そして、ユーザー等が電源スイッチ２から手を離した後も、スタンバイ電源電圧Ｖccが供給される制御部６が、制御信号ＣＮＴＢによって第２の継電部（トライアック）７を導通状態に維持するため、主電源回路８から主電源電圧を継続的に出力させ、テレビジョン放送の視聴が可能となる。
【００８９】
２．主電源を遮断する動作
ユーザー等が例えばテレビジョン放送の視聴を止めて主電源をオフに切り替えたいと欲した場合、リモコン装置９を用いて主電源回路８を遮断するための所定のリモコン操作をすると、リモコン処理部６ｂが受信部１０を介して受信する。また、ユーザー等が操作部１２を操作した場合には、キー入力処理部６ｃがユーザー等の指示内容を入力する。そして、リモコン処理部６ｂまたはキー入力処理部６ｃが入力したユーザー等の指示内容に従ってオンオフ制御部６ｄが、第２の継電部（トライアック）７のゲートにオフ電圧レベルの制御信号ＣＮＴＢを供給することで、非導通状態に設定する。これにより、商用交流電源の供給が遮断された主電源回路８から主電源電圧が出力されなくなり、主電源が遮断されることとなる。
【００９０】
ただし、主電源回路８が遮断されてもスタンバイ電源回路５は遮断されないため、スタンバイ電源電圧Ｖccの供給を受けて制御部６が動作を継続し、リモコン装置９間での通信と、操作部１２からの入力を引き続き可能にする。
【００９１】
３．主電源を再度起動させる動作
主電源回路８が遮断されてもスタンバイ電源回路５が動作している際に、ユーザー等が再び主電源をオンさせたいと欲した場合、リモコン装置等（図示省略）を用いて主電源回路８を再起動させるための所定の操作をすると、制御部６が受信して、制御信号ＣＮＴＢを第２の継電部（トライアック）７のゲートに供給することで導通状態に切り替え、主電源回路８への商用交流電源の供給を再開させる。そして、商用交流電源の供給が再開された主電源回路８から主電源電圧が出力され、テレビジョン放送の視聴が可能となる。
【００９２】
４．スタンバイ電源を遮断する動作 
上述したように主電源回路８が遮断され、スタンバイ電源回路５が継続して動作している際に、ユーザー等がスタンバイ電源をオフにしたいと欲した場合、リモコン装置９または操作部１２を用いて、スタンバイ電源をオフにするための所定の操作をすると、リモコン処理部６ｂまたはキー入力処理部６ｃが入力したユーザー等の指示内容に従ってオンオフ制御部６ｄが、制御信号ＣＮＴＡを常開型の電磁リレーで形成されている解除部４の電磁コイルＬ４に供給する。これにより、解除部４の接点スイッチＳＷ４がオン状態となって、接点ｇ，ｈ間が導通状態となり、トライアック制御回路３Ｃの電源供給端子（図示省略）がグランド電位となるため、トライアック制御回路３Ｃへのスタンバイ電源電圧Ｖccが遮断されて動作しなくなり、ゲート制御信号Ｇが出力されなくなって、トライアック３Ｔは非導通状態となり、電源プラグ１からスタンバイ電源回路５への商用交流電源の供給を遮断し、スタンバイ電源回路５からスタンバイ電源電圧Ｖccが出力されなくなる。
【００９３】
そして、上述の電源スイッチ２は既にオフ状態（非導通状態）となっているため、上述したように第１の継電部３が非導通状態となると、スタンバイ電源回路５には商用交流電源が全く供給されなくなり、スタンバイ電源が遮断されることとなる。その結果、制御部６も動作しなくなって、制御信号ＣＮＴＡの主電源回路８への供給も終了となり、主電源回路８も含めて全ての電源が遮断され、消費電力の削減等が図られる。
【００９４】
以上に説明したように、本実施例の電源制御装置によれば、電源スイッチ２はユーザー等がオン／オフ操作した状態を保持するための保持機能を有するオルタネートスイッチで形成する必要がなく、ユーザー等がオン操作している間だけオン状態となり手が離されるとオフ状態に戻る基本的なスイッチ構造を有するモーメンタリースイッチ等で形成することができる。この結果、複雑な構造を有さず小型の汎用モーメンタリースイッチ等を用いて、設計の自由度を向上させることが可能であり、更にコストの低減を図ることができる。
【００９５】
更に、解除部４も、導通／非導通状態を保持するための特殊な構造を有する電磁リレー等を用いる必要がなく、基本的なリレー構造を有する電磁リレー等で形成することが可能となっている。この結果、複雑な構造を有さず小型の汎用電磁リレーを用いて、設計の自由度を向上させることが可能であり、更にコストの低減を図ることができる。
【００９６】
なお、本実施例２においても、実施例１と同様に、電源スイッチ２の操作によってスタンバイ電源又は主電源を遮断する構成を加えてもよい。
すなわち、スタンバイ電源電圧Ｖccの供給を受けて制御部６が動作中に、電源スイッチ２がオン操作されると、スイッチＳＷ１がオン状態となったことを制御部６が検出し、主電源をオフにするためのリモコン操作がなされた場合と同様の処理を行って、主電源を遮断するようにしてもよい。
【００９７】
また、スタンバイ電源を遮断するための構成においては、スタンバイ電源電圧Ｖccの供給を受けて制御部６が動作中であって、主電源回路８が遮断している場合に、電源スイッチ２がオン操作されると、スイッチＳＷ１がオン状態となったことを制御部６が検出し、スタンバイ電源をオフにするためのリモコン操作がなされた場合と同様の処理を行って、スタンバイ電源を遮断するようにしてもよい。
【実施例３】
【００９８】
次に、第３の実施例に係る電源制御装置について図５を参照して説明する。なお、図５は、図３または図４の一部構成を表したブロック図である。
本実施例の電源制御装置は、図３に示した第１の実施例と図４に示した第２の実施例において更に機能を追加したものであり、制御部６内に計時部６ｅが設けられている。
【００９９】
この計時部６ｅは、制御部６に設けられているマイクロプロセッサ（ＭＰＵ）やデジタルシグナルプロセッサ（ＤＳＰ）が所定のプログラムを実行することで発揮されるプログラムタイマーよって実現されている。
【０１００】
次に、このタイマー機能を有する計時部６ｅが設けられることで追加された機能について説明する。
【０１０１】
第１，第２の実施例で説明したように本実施例においても、ユーザー等からのリモコン操作等に従って、主電源回路８を遮断したりスタンバイ電源回路５を遮断する機能を備えているが、本実施例では更に、ユーザー等がリモコン装置９または操作パネル１２を操作して主電源回路８を遮断すべき指示をすると、オンオフ制御部６ｄが制御信号ＣＮＴＢによって第２の継電部７をオフ制御して主電源回路８を遮断した後、計時部６ｅが計時動作を開始する。つまり、主電源回路８とスタンバイ電源回路５のうちスタンバイ電源回路５だけが動作中となると、計時部６ｅが計時動作を開始する。そして、計時部６ｅが所定の時間Ｔ（例えば、１時間）の経過を計時し終えるとオンオフ制御部６ｄへ指令し、制御信号ＣＮＴＡによって解除部４をオフ制御させる。
【０１０２】
また、上述した所定の時間Ｔが経過する前に、ユーザー等がリモコン装置または操作パネル１２によって、主電源回路８を再起動するための操作をすると、計時部６ｅが計時動作を中止し、オンオフ制御部６ｄがユーザー等からの当該指示を優先させて、制御信号ＣＮＴＢによって第２の継電部７をオン制御し、主電源回路８を再起動させる。
【０１０３】
本実施例の電源制御装置によれば、主電源回路８が遮断され、スタンバイ電源回路５のみが動作中となった場合に、所定時間Ｔの経過後に自動的にスタンバイ電源回路５も遮断するので、ユーザー等のいわゆる電源消し忘れを防止し、消費電力の更なる削減を図ることができる。また、計時部６ｅが計時動作を完了する前に、ユーザー等から主電源回路８を再起動させための指示が成されると、計時動作を中止し、主電源回路８を再起動させるので、ユーザー等に優れた操作性を提供することができる。
【０１０４】
なお、上述した時間Ｔを１時間に限定せず、ユーザー等がリモコン装置または操作パネル１２によって所望の時間Ｔを変更可能に指定すると、計時部６ｅがその指定された時間Ｔをデータとして記憶・保持し、主電源回路８が遮断されると、記憶しておいた時間Ｔの経過後に自動的にスタンバイ電源回路５も遮断する構成としても良い。また、１日の時刻を確認し、深夜の時間帯と深夜以外の時間帯に応じて時間Ｔを変化させるようにしてもよい。つまり、深夜の時間帯のときには、深夜以外の時間帯よりも時間Ｔを短くすることで、人間の生活活動に合わせて、スタンバイ電源回路５をより効果的に遮断することができる。
【０１０５】
また、以上に述べた計時部６ｅでは、主電源回路８が遮断された時点を計時動作の開始時として計時動作を開始しているが、これに対する変形例として、スタンバイ電源回路５のみが動作中に、ユーザー等によってリモコン装置または操作パネル１２が何らかの操作が成されると、計時部６ｅはその操作が終了した時点を開始時点として再び最初から計時動作を開始し、時間Ｔの経過時点にスタンバイ電源回路５も遮断させるようにしてもよい。
【０１０６】
つまり、計時部６ｅは主電源回路８が遮断されると計時動作を開始し、上述の時間Ｔが経過する前にユーザー等がリモコン装置または操作パネル１２を操作すると、その操作が完了した時点に計時動作をリセットスタートさせ、再び時間Ｔが経過する前に、ユーザー等がリモコン装置または操作パネル１２を操作していない検出すると、時間Ｔの経過時点に、スタンバイ電源回路５も遮断させる構成としても良い。
【０１０７】
かかる変形例によれば、主電源回路８が遮断されているが、スタンバイ電源回路５が動作中となっている間に、ユーザー等がリモコン装置または操作パネル１２を操作し、例えば予約操作等を行うことができるため利便性の向上を図ることができると共に、消費電力の削減に寄与することもできる。
【０１０８】
また、他の変形例として、ユーザー等がリモコン装置または操作パネル１２によって所望の時刻ｔを指定し、計時部６ｅがその指定された時刻ｔのデータを記憶しておき、その時刻ｔに達した時点に主電源回路８が遮断されていることを検出した後、スタンバイ電源回路５を遮断させる構成としても良い。また、時刻ｔは毎日の時刻であっても良いし、日を含めた日時を示す時刻であっても良い。
【０１０９】
また、更に他の変形例として、テレビジョン放送を録画予約する機能を有するテレビジョン受信機等に電源制御装置が設けられる場合、計時部６ｅは、主電源回路８が遮断された時点を計時動作の開始時点とはせず、その予約されたテレビジョン放送の録画が完了した時点に計時動作を開始し、所定の時間Ｔの経過後にスタンバイ電源回路５も遮断させる構成としても良い。
【０１１０】
また、リモコン装置９や操作パネル１２の機能については特に限定するものではないが、例えば主電源回路８を遮断するための操作ボタンと、スタンバイ電源回路５を遮断するための操作ボタンとの２個の操作ボタンをリモコン装置９や操作パネル１２に各々に設ける構成としても良いし、１個の操作ボタンを共用して、押下操作される時間、又は押下操作される回数、又は押下操作される時間と回数の組み合わせ等によって、主電源回路８を遮断、主電源回路８を起動、スタンバイ電源回路５を即時に遮断、スタンバイ電源回路５をタイマー機能によって遮断等の選択をすることができる構成としても良い。
【０１１１】
また、リモコン装置９や操作パネル１２に人感センサーを内蔵しておき、計時部６ｅが、主電源回路８の遮断時後に、リモコン装置９や操作パネル１２から通信されてくる人感センサー検出結果に基づいて、ユーザー等がいなくなったか否か判断して、ユーザー等がいなくなったと判断した場合に、計時動作を開始して所定時間Ｔの経過後にスタンバイ電源回路５を遮断させる構成としても良い。
【図面の簡単な説明】
【０１１２】
【図１】従来の電源制御装置の構成を表したブロック図である。
【図２】実施形態に係る電源制御装置の構成を表したブロック図である。
【図３】第１の実施例に係る電源制御装置の構成を表したブロック図である。
【図４】第２の実施例に係る電源制御装置の構成を表したブロック図である。
【図５】第３の実施例に係る電源制御装置の構成を表したブロック図である。
【符号の説明】
【０１１３】
２…電源スイッチ
３…第１の継電部
４…解除部
５…スタンバイ電源回路
６…制御部
７…第２の継電部
８…主電源回路
【図１】
2008252343.tif 000003
【図２】
2008252343.tif 000004
【図３】
2008252343.tif 000005
【図４】
2008252343.tif 000006
【図５】
2008252343.tif 000007